(57)【要約】      （修正有）【課題】新聞、雑誌などから目的とする記事の箇所を切抜き保存する必要が生じる事がある。カッターナイフの長所をいかしつつ、下の２枚目以降をカットするととなく、１枚目のみを切断するための手段を提供すること。【解決手段】鋏に比べ長所が多いカッターナイフを活用し、またその使用時の欠点を除く事で易く使える切り抜きカッターを実現した。目的とする紙面より下の紙面をカットしない為に、「カッターナイフ先端部刃ガード４から送り出し刃５の長さ」Ｌを；        紙の厚さ    ＜  Ｌ（送り出し長さ）  ＜    紙の厚さ×２倍にセット出来る微作動刃送り機構１などの機能を持たせることでこれを可能とした。【選択図】図１
2007050215.tif 000002
【特許請求の範囲】
【請求項１】
紙面が複数枚重なった状態でも下敷きを使わずに下の紙面を切る事なく、目的の箇所の切り抜きのみを可能としたカッターナイフ機構。
【請求項２】
〔請求項１〕のカッターナイフ機構で、既存カッターナイフにもセット可能な微作動刃送り機構。
【発明の詳細な説明】
【技術分野】
【０００１】    この発明は新聞及び雑誌類用切抜きカッターナイフについてのものである。
【背景技術】
【０００２】    従来、新聞、雑誌などから必要な記事の箇所を切抜くには、鋏、カッターナイフ、もしくはカッターナイフと硬い下敷きを使い行っていた。
【発明の開示】
【発明が解決しようとする課題】
【０００３】  鋏を使用する時、切り始める位置に制約が生じる。その位置が端から始まる場合はそのまま鋏を入れられるが、中ほどに目的の箇所がある場合、刃の付いていない先端部で紙を突き破り、切り抜き作業を始める必要がある。この時、鋏の刃がない所を使用せざるを得ないため突き破った周囲を破いてしまう事になる。これにより必要な記事本文も傷めてしまい意図したように切り出せ無い不都合が生じる。
又、鋏で雑誌の１ページ全体を切り取る場合、綴じ代側の端で刃高さが邪魔となり記事本文の端部を欠いて切り取らざるを得ない状態が生じる。
これらの要因で切り抜く場所により作業効率が悪くカッターナイフの場合よりはるかに時間がかる事がある。
次にカッターナイフを使用した場合について述べる。これは鋏に比べ長所は多く持つている。欠点として特に新聞の切抜きの場合に顕著に出る。必要としている今のページの２〜３枚下までカットしてしまう事態が生じる。これが本人一人で終わり後は古紙としてしまうならば問題は無いのだが、事務所、家族では読み廻しが普通である。この場合、次に読む人のために折りたたんでおくべきであるが、大き目の切り抜きがあったとき、新聞は枚数ごとににばらばらの状態になってしまっており、揃え直した後であっても非常に読みにくい欠点がある。
又、一枚目の下に金属、ガラス等の下敷きを用意する方法も有るが、刃先の磨耗が早いのと瞬時性が無く普通は用意して記事を読むことはしない。
【解決手段】
【０００４】  鋏に比べ長所が多いいカッターナイフの欠点を除く事で使いやすい切り抜きカッターナイフを実現した。既存のカッターナイフは一回に迫り出す所の「送りストローク」は使用刃の切れ味が落ちた時に折って破棄する刃一回分長さに合わせてある。これは機構上、途中でストロークを止めることが出来ず約４．５ｍｍが最小送り出し寸法となっている。
切り抜きの作業時、力加減をしたとしても３〜４枚の紙を同時に切断してしまうのは構造上当然のことといえる。
本発明は図１のごとく一般の▲７▼カッターナイフ本体に▲１▼微作動刃送り機構を取り付け▲２▼送りネジのつまみを回転させることにより▲６▼刃スライドホルダーを前進微動させ、▲５▼刃先を▲４▼先端部刃ガードより迫り出させる。迫り出す刃先長さＬを紙厚みに相応させた任意の値にセット出来る様にした事で、一番上面の紙一枚だけの切断を可能とした。
カット時、刃先端から戻す力が▲１▼微作動刃送り機構に働くが、▲１▼微作動刃送り機構は▲３▼スライドセットネジで固定されているのと▲９▼メネジには僅かなスラスト方向の力であり、これによりセットされた後に刃のずれが生じる事は無い。
同じくカット時、▲４▼先端部刃ガードの紙との接触部は滑りながら常時、刃の横で紙を押し付ける役目をしている。これにより刃の切れ味が落ち始めた時の、引っかかり、破れの発生を未然に防ぐことが出来きる。
切れ味が落ちた刃を廃棄し、次の刃に変える時には、▲１▼微作動刃送り機構ごと▲７▼のカッター本体の後方にずらす事で易く作業が可能である。
【発明の効果】
【０００５】  紙の厚みは各種類ごとにより異なるが一般的には０．０７〜０．１８ｍｍであり平均すると約０．１３ｍｍの厚みといえる。
前記の通り、本発明は▲１▼微作動刃送り機構は刃を保持するところの▲６▼刃スライドホルダーをネジ回転の微作動により前方に送り出すものである。
このネジに細目メートルネジ２．０を対応させた場合ピッチは０．２５ｍｍ（ＪＩＳ  Ｂ０２０７−１９９７）である。これはネジつまみを一回転させることにより０．２５ｍｍ長さの刃を送り出せる事を意味する。
上面の紙のみを切り、その下の紙を切断しない為には、Ｌ（刃送り出し長さ）には次式の条件を満足させる必要がある。
紙の厚さ  ＜  Ｌ（刃送り出し長さ）  ＜  紙の厚さ×２倍
具体的な値を入れると平均紙厚が約０．１３ｍｍであるから
０．１３ｍｍ  ＜  Ｌ  （刃送り出し長さ）  ＜  ０．２６ｍｍ
切り抜きの為に必要なＬ（刃送り出し長さ）はネジを以下回転角度だけまわす必要がある。
０．１３／０．２５ｍｍ×３６０°＝１８７．２°
０．２６／０．２５ｍｍ×３６０°＝３７４．４°
すなわち１８７．２°以上で３７４．４°未満の回転である。これはネジつまみを約半回転から一回転させる事であり、倍の回転の許容誤差があるため操作は易しいものとなる。
尚、▲４▼先端部刃ガードより迫り出す刃先長さＬの設定は、▲２▼送りネジつまみにある▲１０▼目盛りによりおおよその出方を確認出来る。紙質により異なる最適刃先長さＬは別の箇所での少々の試しカットにより、下の紙に刃が抜けているか否かを事前に見る事で易く決められる。
【発明を実施するための最良の形態】
【実施例】
【０００６】以下、実施の形態について説明する。
（イ）  ▲７▼カッター本体と▲１▼微作動刃送り機構は別個に構成されており、これを組み込み使用する。この時▲３▼スライドセットネジはカッター本体に差込できる様に緩めた状態にしておく。
又、▲５▼刃は▲４▼先端部ガードから飛び出すことなくこれと先端を揃えた状態にしておく。これから刃を迫り出す操作をするのであるが、この状態は刃の迫り出し寸法（＝Ｌ）がゼロとなっている。
先端を揃えるのは難しい事ではなく、▲４▼先端部ガードを固めの平板状の面に軽く押つけた状態で▲６▼刃スライドホルダーを左側に押し当てれば▲４▼先端部ガードと▲５▼刃の先端はおのずと自動的に揃う。
（ロ）  ▲７▼カッター本体に▲１▼微作動刃送り機構を左側から差し込む。▲６▼刃スライドホルダーの右端に▲８▼送りネジが当たったところで差込作業は完了する。この状態の時▲２▼送りネジつまみの▲１０▼目盛りを▲１▼微作動刃送り機構のゼロ点に合わせる。
（ハ）  ▲３▼スライドセットネジを締め▲１▼微作動刃送り機構を固定する。
（ニ）  ▲４▼先端部刃ガードより▲５▼刃をＬ寸法だけ迫り出さすため、▲２▼送りネジつまみを右回り回転させる。▲９▼メネジは▲１▼微作動刃送り機構に固定組み込みされており▲２▼送りネジつまみに加えられた回転力は▲８▼送りオネジを左側に推進させて▲６▼刃スライドホルダーを押す事で、▲５▼刃が▲４▼先端部刃ガードより迫り出す。
（ホ）  刃迫り出し寸法（＝Ｌ）は▲２▼送りネジつまみの▲１０▼目盛りをゼロから半回転させる事で０．１３ｍｍに、さらに、一回転させる事で０．２６ｍｍになる。このあいだの刃迫り出し寸法の設定であれば、目的である「上面紙だけの紙のカット」が実現する。この状態で、別の箇所の紙を少々の試しカットて見る。下に抜けていないかを確認し、必要があれば▲２▼送りネジつまみを正逆させ調整する。
（ト）  使い終えたら刃を収納するため▲１０▼目盛りをゼロに戻す。▲６▼刃スライドホルダーを右に戻し▲８▼送りオネジに当たるところで最初の状態に戻る。
（ト）  刃の切れ味が悪くなった場合、▲３▼スライドセットネジを緩めるて▲１▼微作動刃送り機構を右側にずらすか又は取り外す。以後は普通行なうと同様にして不要刃を破棄し、新たな刃に交換する。
再び使用するには上記作業の繰り返しとなる。
【産業上の利用可能性】
【０００７】  以上で説明したとおり、本発明は一般に使用されているカッターナイフに▲１▼微作動刃送り機構を取り付ける事で「上面の紙一枚だけの切り抜きカッター」として使用可能となる。
又、これはコンパクトであるゆえ、食卓テーブルの上、乗り物の中などで必要な時に即座に使用できる便利さがある。
【図面の簡単な説明】
【０００８】図１は「切り抜きカッター」の刃先の詳細及び全体図である。
【符号の説明】
【０００９】▲１▼微作動刃送り機構                ▲６▼刃スライドホルダー
▲２▼送りネジつまみ                  ▲７▼カッター本体
▲３▼スライドセットネジ              ▲８▼送りオネジ
▲４▼先端部刃ガード                  ▲９▼メネジ
▲５▼刃                              ▲１０▼目盛
【図１】
2007050215.tif 000003